(57)【要約】【課題】  鏡なしでも剃り状態の確認の可能な電気剃刀を提供する。【解決手段】  電気剃刀本体１２は上部側の上部本体１４と下部側の下部本体１６で構成されている。上部本体１４の上面には、網外刃２０が配置されている。また、上部本体１４の片側面には、固体撮像素子３２が設けられている。固体撮像素子３２は、撮像対象の画像を取り込み可能とされている。下部本体正面１６Ｂの中央部には、ＬＣＤ３６が設けられている。【選択図】  図１
2005087616.tif 000002
【特許請求の範囲】
【請求項１】
使用時に把持可能な電気剃刀本体と、
前記電気剃刀本体に設けられた刃部と、
前記電気剃刀本体に設けられた撮像手段と、
を備えた電気剃刀。
【請求項２】
前記電気剃刀本体に設けられ、前記撮像手段により撮像された画像を表示可能とされた表示手段、をさらに備えた請求項１に記載の電気剃刀。
【請求項３】
前記電気剃刀本体に設けられ、前記撮像手段により撮像される撮像対象へ光を照射する光源、をさらに備えた請求項１または請求項２に記載の電気剃刀。
【請求項４】
前記撮像手段により撮像された画像に基づいて皮膚の剃り状態を判断する判断手段と、
前記判断手段により判断された結果を告知する告知手段と、
をさらに備えた請求項１乃至請求項３のいずれか１項に記載の電気剃刀。
【請求項５】
前記刃部を前記電気剃刀本体の外側方向へ付勢する付勢部材と、
前記撮像手段により撮像された画像に基づいて皮膚の状況を判断する判断手段と、
前記判断手段により判断された結果に応じて前記付勢部材による付勢力を調整する付勢力調整手段と、
をさらに備えた請求項１乃至請求項３のいずれか１項に記載の電気剃刀。
【発明の詳細な説明】
【技術分野】
【０００１】
本発明は、電気剃刀に関する。
【背景技術】
【０００２】
電気で動作される電気剃刀には、深剃り、剃り心地、剃り残しなどについて、様々な技術が提案されている。例えば特許文献１に記載の技術では、深剃りが可能でかつ肌触りもよい電気剃刀が開示されている。また、特許文献２では、肌との接触面積を多くして剃りの効率を高めかつ深剃り可能な電気剃刀が開示されている。
【０００３】
このように工夫がなされた電気剃刀では、ユーザーが鏡を見て剃り残し部分を見つけたり皮膚の状態を確認したりしながら剃りの作業を進めていく。
【０００４】
しかしながら、鏡がない場合には剃り状態の確認ができず、そのため適切な剃りの作業を行うことができない。
【特許文献１】特開平８−３１８０５７号公報
【特許文献２】特開平８−３２３０５９号公報
【発明の開示】
【発明が解決しようとする課題】
【０００５】
本発明は上記事実を考慮し、鏡なしでも剃り状態の確認の可能な電気剃刀を提供することを目的とする。
【課題を解決するための手段】
【０００６】
上記課題を解決するため、請求項１に記載の電気剃刀は、使用時に把持可能な電気剃刀本体と、前記電気剃刀本体に設けられた刃部と、前記電気剃刀本体に設けられた撮像手段と、を含んで構成されている。
【０００７】
本発明の電気剃刀の電気剃刀本体は、使用時に把持可能とされており、この電気剃刀本体に刃部、及び、撮像手段が設けられている。したがって、刃部により髭などの毛を剃ることが可能とされると共に、撮像手段により毛の剃り残しや皮膚の状態などの剃り状態の画像を取り込むことができる。取り込まれた画像を、例えば外部のディスプレイなどに出力して表示させることで、ユーザーは鏡なしでも剃り状態の確認を行うことができる。
【０００８】
なお、本発明の電気剃刀は、請求項２に記載のように、前記電気剃刀本体に設けられ、前記撮像手段により撮像された画像を表示可能とされた表示手段、をさらに含んで構成することもできる。
【０００９】
このように、電気剃刀本体に表示手段を設けることにより、表示手段に表示された画像を容易に確認することができる。なお、ユーザーは、例えば髭を剃るときに、表示手段での表示方向と撮像手段での撮像方向とを同方向とすることにより、撮像しながらリアルタイムに髭剃り状態を確認することができる。
【００１０】
また、本発明の電気剃刀は、請求項３に記載のように、前記電気剃刀本体に設けられ、前記撮像手段により撮像される撮像対象へ光を照射する光源、をさらに含んで構成することもできる。
【００１１】
このように、撮像対象へ光を照射することにより、暗い場所でも確認可能な画像を撮像手段によって撮像することができる。
【００１２】
また、本発明の電気剃刀は、請求項４に記載のように、前記撮像手段により撮像された画像に基づいて皮膚の剃り状態を判断する判断手段と、前記判断手段により判断された結果を告知する告知手段と、をさらに含んで構成することもできる。
【００１３】
この電気剃刀の判断手段では、撮像された画像に基づいて皮膚の剃り状態が判断される。皮膚の剃り状態とは、例えば、剃り残しや皮膚の赤みがどの程度であるかなどの状態をいう。そして、告知手段によって判断手段での判断の結果が告知される。告知手段での告知の方法は、点灯や文字などでの表示によるものでも、音声によるものでもよい。ユーザーは、この告知によって皮膚の剃り状態を確認することができる。
【００１４】
また、本発明の電気剃刀は、請求項５に記載のように、前記刃部を前記電気剃刀本体の外側方向へ付勢する付勢部材と、前記撮像手段により撮像された画像に基づいて皮膚の状況を判断する判断手段と、前記判断手段により判断された結果に応じて前記付勢部材による付勢力を調整する付勢力調整手段と、を含んで構成することもできる。
【００１５】
この電気剃刀の判断手段では、請求項４に記載の判断手段と同様に、撮像された画像に基づいて皮膚の剃り状態が判断される。また、付勢部材は、刃部を前記電気剃刀本体の外側方向へ付勢する。そして、付勢力調整手段で、判断手段により判断された結果に応じて付勢部材による付勢力が調整される。これにより、皮膚の剃り状態に応じて、自動的に刃部が皮膚に押し付けられる力を調整することができる。
【発明の効果】
【００１６】
本発明の電気剃刀は上記構成としたので、鏡なしでも剃り状態の確認を行うことができる。
【発明を実施するための最良の形態】
【００１７】
以下、図面を参照して、本発明の実施形態について詳細に説明する。
【００１８】
図１に示すように、電気剃刀１０は、電気剃刀本体１２を備える。電気剃刀本体１２は上部側の上部本体１４と下部側の下部本体１６で構成されている。
【００１９】
上部本体１４の上面には、図２にも示すように、網外刃２０が配置されている。網外刃２０は網状とされており、皮膚に押し当てられることにより網穴に切断対象の毛が入り込む。網外刃２０の内側には、網外刃２０に沿った形状の内刃２２が配置されている。網外刃２０の穴に入った毛は、内刃２２と網外刃２０と（これらをまとめて「刃部２１」という）により切断される。内刃２２の下側には支持部材２４が取り付けられ、支持部材２４の下端にはコイルばね２６が取り付けられている。コイルばね２６の下側には支持台２８が配置されており、支持台２８は後述する駆動部６２（図７参照）により駆動されて、ガイド３０に沿って剃り強度大位置Ｗ１、剃り強度中位置Ｗ２、及び、剃り強度小位置Ｗ３の間を移動可能とされている。この移動に伴って刃部２１は支持台２８と同方向へ移動される。ユーザーにより電気剃刀本体１２が把持され、刃部２１に皮膚が押し付けられているときには、刃部２１は上部本体１４の外側方向Ｘへ付勢されている。このときの付勢力は、皮膚と電気剃刀本体１２との距離が同じであれば、支持台２８が剃り強度大位置Ｗ１に配置されているときに最も大きく、次に剃り強度中位置Ｗ２、剃り強度小位置Ｗ３の順に小さくなっている。
【００２０】
上部本体１４の片側面には、固体撮像素子３２が設けられている。固体撮像素子３２は、撮像対象の画像を取り込み可能とされている。固体撮像素子３２としては、ＣＣＤイメージセンサやＣＭＯＳイメージセンサなどがあげられる。固体撮像素子３２の下側には、ライト３４が設けられている。
【００２１】
下部本体１６の正面側（以下「下部本体正面１６Ｂ」という）は略長方形状とされ（図３（Ｂ）参照）、側面は上部が幅広の逆三角形状とされている（図４参照）。下部本体正面１６Ｂの中央部には、液晶ディスプレイ（以下「ＬＣＤ」という）３６が設けられている。ＬＣＤ３６は上辺がヒンジ３８で下部本体正面１６Ａに取り付けられており、図４に示すように、ヒンジ３８を中心に回動可能とされている。ヒンジ３８の近辺にはこの回動に伴って表示切換えを行う切換えスイッチ機構（図示省略）が備えられている。ＬＣＤ３６が下部本体正面１６Ａに沿ったＰ１位置と、Ｐ１位置から６０°回転されたＰ２位置までの間（この間の位置を「メニュー位置Ｑ１」という）に配置されているときには、ＬＣＤ３６には図５（Ａ）に示すメニュー画面が表示されている。ＬＣＤ３６が位置Ｐ２に配置されると、スイッチが切換えられて、ＬＣＤ３６はオフになる（表示なし）。このオフ状態はＬＣＤ３６が更に６０°回転されたＰ３位置に配置されるまで（この間の位置を「オフ位置Ｑ２」という）継続される。ＬＣＤ３６がＰ３位置に配置されると、スイッチが切換えられて、ＬＣＤ３６には、固体撮像素子３２により取り込まれた画像が所定のフレームレートでリアルタイムに表示される。この画像表示はＬＣＤ３６がさらに６０°回転されてＬＣＤ３６の表面が下部本体正面１６Ａに当接されるまで（Ｐ２〜Ｐ３位置までの位置を「画像表示位置Ｑ３」という）継続される。
【００２２】
図３（Ｂ）に示すように、下部本体正面１６Ｂの下側には、赤、黄、青の各々の色に点灯可能な、赤色点灯部３８Ｒ、黄色点灯部３８Ｙ、及び、青色点灯部３８Ｂが設けられている。また、下部本体正面１６Ｂの上部右側には、各種の指示を入力する指示ボタン４０が設けられている。
【００２３】
図３（Ａ）に示すように、下部本体１６の背面側（以下「下部本体背面１６Ａ」という）には、電気剃刀１０の電源のオン・オフを行う電源スイッチ４２、及び、音声の出力を行うスピーカー４４が設けられている。
【００２４】
上部本体１４と下部本体１６とは、互いに対向する面の中央部に設けられた図示しない接続部材により接続されており、この接続部材を中心として図６に示すように、相対回転可能とされている。
【００２５】
図７には電気剃刀１０の制御系の概略ブロック図が示されている。固体撮像素子３２はアナログ／デジタル変換器（以下、「Ａ／Ｄ変換器」という）５０と接続され、Ａ／Ｄ変換器５０はデジタル信号処理部５２と接続されている。Ａ／Ｄ変換器５０は、固体撮像素子３２から入力されたアナログ信号をデジタル信号に変換してデジタル信号処理部５２へ出力する。デジタル信号処理部５２は、入力されたデジタル信号に対して各種の処理を行い、デジタル画像データを生成する。バス５４には、ＣＰＵ５６、デジタル信号処理部５２、内部メモリ５８、及び、表示制御部６０が接続されており、これらの相互間でのデータの授受が可能とされている。
【００２６】
ＣＰＵ５６は、指示ボタン４０、電源スイッチ４２、スピーカー４４、駆動部６２、ライト３４、赤色点灯部３８Ｒ、黄色点灯部３８Ｙ、青色点灯部３８Ｂと接続されている。駆動部６２は、内刃２２及び支持台２８と接続されており、ＣＰＵ５６からの指示により、内刃２２、支持台２８を駆動させる。ＣＰＵ５６は、各種のプログラムを実行するなどして電気剃刀１０全体の制御を行う。
【００２７】
内部メモリ５８にはデジタル信号処理部５２で生成されたデジタル画像データを一時的に記憶可能とされている。また、内部メモリ５８には図９に示す深剃りレベルテーブルＴ１（図９（Ａ）参照）、及び、剃り残しレベルテーブルＴ２（図９（Ｂ）参照）が記憶されている。
【００２８】
深剃りレベルテーブルＴ１は、皮膚の赤み割合に基づいて深剃りの程度を判定するための判定基準である。例えば、レベル１では、皮膚の赤みが全体の０〜２％であるときには、深剃り程度は軽度であると判断して青色点灯部３８Ｂの点灯に対応させ、皮膚の赤みが全体の２〜１０％であるときには、深剃り程度は中度であると判断して黄色点灯部３８Ｙの点灯に対応させ、皮膚の赤みが全体の１０％以上であるときには、深剃り程度は重度であると判断して赤色点灯部３８Ｒの点灯、及びスピーカー４４からの警告音の出力に対応させる。本実施形態では、他にレベル２、３を記録しておき、ユーザーの選択によりレベル１〜３のいずれか１つを選択可能とされている。
【００２９】
剃り残しレベルテーブルＴ２は、皮膚の黒み割合に基づいて深剃りの程度を判定するための判定基準である。例えば、レベル１では、皮膚の黒みが全体の０〜２０％であるときには、剃り残し程度は少ないと判断して青色点灯部３８Ｂの点灯に対応させ、皮膚の黒みが全体の２０〜５０％であるときには、剃り残し程度はふつうであると判断して黄色点灯部３８Ｙの点灯に対応させ、皮膚の黒みが全体の５０％以上であるときには、剃り残し程度は多いと判断して赤色点灯部３８Ｒの点灯、及びスピーカー４４からの警告音の出力に対応させる。本実施形態では、ここでも他にレベル２、３を記録しておき、ユーザーの選択によりレベル１〜３のいずれか１つを選択可能とされている。
【００３０】
表示制御部６０はＬＣＤ３６と接続されており、内部メモリ５８に記憶されたデジタル画像データを読み出し、ＬＣＤ３６へ画像表示するのための処理を行う。
【００３１】
次に、本実施形態の作用について説明する。
【００３２】
電気剃刀１０を使用する場合には、まず電源スイッチ４２から電源オンの指示を入力して電気剃刀１０の電源をオンにする。指示ボタン４０から内刃２２の駆動の指示を入力すると、内刃２２が駆動されて、ユーザーは剃りを行うことができる。このとき、ＬＣＤ３６を画像表示位置Ｑ３に配置すると、固体撮像素子３２では、所定のフレームレートで被写体からの光を受光し、これを光電変換したアナログ信号をＡ／Ｄ変換器５０へ出力する。Ａ／Ｄ変換器５０は、入力されたアナログ信号をデジタル信号に変換し、デジタル信号処理部５２へ出力する。デジタル信号処理部５２では、入力されたデジタル信号に所定の処理が施されデジタル画像データが生成される。このデジタル画像データは内部メモリ５８に記録されると共に、表示制御部６０へ出力される。表示制御部６０では、ＬＣＤ３６へデジタル画像データを表示する処理が行われ、ＬＣＤ３６に画像が表示される。したがって、ユーザーは、固体撮像素子３２を被剃り部に向けておくことにより、被剃り部の画像を撮像してリアルタイムにその画像を確認することができる。このとき、指示ボタン４０からライト３４の点灯の指示を入力することにより、ライト３４を点灯させて被剃り部に光を供給することができる。
【００３３】
ＬＣＤ３６がメニュー位置Ｑ１に配置されているとき、ＬＣＤ３６には図５（Ａ）に示すメニュー画面が表示される。ユーザーは、メニュー１〜４の中から、電気剃刀１０の動作を選択することができる。
【００３４】
メニューの「１．設定」を選択すると、ＬＣＤ３６には、図５（Ｂ）に示す設定画面が表示される。設定画面から「１．深剃り面積割合」を選択すると、図８（Ａ）に示す深剃り割合面積設定画面が表示される。ユーザーは、この画面から、レベル１〜３のいずれか１つのレベルを選択する。このレベル１〜３は、深剃りレベルテーブルＴ１のレベル１〜３に対応している。ここで選択されたレベルが選択深剃りレベルとなる。設定画面から「２．剃り残し面積割合」を選択すると、図８（Ｂ）に示す剃り残し割合面積設定画面が表示される。ユーザーは、この画面から、レベル１〜３のいずれか１つのレベルを選択する。このレベル１〜３は、剃り残しレベルテーブルＴ２のレベル１〜３に対応している。ここで選択されたレベルが選択剃り残しレベルとなる。
【００３５】
メニューの「２．深剃りチェック」を選択すると、ＣＰＵ５６では、図１０に示す深剃りチェック処理が行われる。ステップＳ１０で、ユーザーからの画像取り込み指示の入力があるまで待機する。ユーザーは、固体撮像素子３２を被剃り部分、例えば顎に向け、指示ボタン４０から画像の取り込み指示を入力する。この入力が行われると、ステップＳ１２で、固体撮像素子３２へ画像取り込みの指示が行われる。これにより固体撮像素子３２では、所定時間のあいだ被写体からの光を受光し、これを光電変換したアナログ信号をＡ／Ｄ変換器５０へ出力する。Ａ／Ｄ変換器５０は、入力されたアナログ信号をデジタル信号に変換し、デジタル信号処理部５２へ出力する。デジタル信号処理部５２では、入力されたデジタル信号に所定の処理が施されデジタル画像データが生成される。このデジタル画像データは内部メモリ５８に記録される（固体撮像素子３２での受光から内部メモリ５８へのデジタル画像データの記録までの一連の動作を「画像の取り込み」という）。ステップＳ１４で、取り込んだ画像全体に対する皮膚の赤み部分の割合を求める。ステップＳ１６で、求められた皮膚の赤み部分の割合が青色点灯部３８Ｂを点灯させる数値の範囲内かどうか（レベル１が選択されていれば０％以上２％未満）を判断する。判断が肯定された場合には、ステップＳ１８で、青色点灯部３８Ｂに点灯の指示を出力して本処理を終了する。判断が否定された場合には、ステップＳ２０で、求められた皮膚の赤み部分の割合が黄色点灯部３８Ｙを点灯させる数値の範囲内かどうか（レベル１が選択されていれば２％以上１０％未満）を判断する。判断が肯定された場合には、ステップＳ２２で、黄色点灯部３８Ｙに点灯の指示を出力して本処理を終了する。判断が否定された場合には、ステップＳ２４で、赤色点灯部３８Ｒに点灯の指示を出力すると共に、スピーカー４４に警告音を発する旨の指示を出力して本処理を終了する。
【００３６】
本処理によれば、皮膚の赤み部分の割合に応じて、赤、黄、青のいずれかの点灯部が点灯され、さらに、深剃りの程度が重度の場合には警告音も発せられて、ユーザーはこれにより、深剃りの程度を確認することができる。
【００３７】
メニューの「３．剃り残しチェック」を選択すると、ＣＰＵ５６では、図１１に示す剃り残しチェック処理が行われる。ステップＳ３０で、ユーザーからの画像取り込み指示の入力があるまで待機する。ユーザーは、固体撮像素子３２を被剃り部分、例えば顎に向け、指示ボタン４０から画像の取り込み指示を入力する。この入力が行われると、ステップＳ３２で、固体撮像素子３２へ画像取り込みの指示が行われる。これにより一連の画像取り込み処理が行われる。ステップＳ３４で、取り込んだ画像全体対する皮膚の黒み部分の割合を求める。ステップＳ３６で、求められた皮膚の黒み部分の割合が青色点灯部３８Ｂを点灯させる数値の範囲内かどうか（レベル１が選択されていれば０％以上２０％未満）を判断する。判断が肯定された場合には、ステップＳ３８で、青色点灯部３８Ｂに点灯の指示を出力して本処理を終了する。判断が否定された場合には、ステップＳ４０で、求められた皮膚の黒み部分の割合が黄色点灯部３８Ｙを点灯させる数値の範囲内かどうか（レベル１が選択されていれば２０％以上５０％未満）を判断する。判断が肯定された場合には、ステップＳ４２で、黄色点灯部３８Ｙに点灯の指示を出力して本処理を終了する。判断が否定された場合には、ステップＳ４４で、赤色点灯部３８Ｒに点灯の指示を出力すると共に、スピーカー４４に警告音を発する旨の指示を出力して本処理を終了する。
【００３８】
本処理によれば、皮膚の黒み部分の割合に応じて、赤、黄、青のいずれかの点灯部が点灯され、さらに、剃り残しの程度が重度の場合には警告音も発せられて、ユーザーはこれにより、剃り残しの程度を確認することができる。
【００３９】
メニューの「４．剃り強度自動調整ＯＮ」を選択すると、ＣＰＵ５６では、図１２に示す剃り強度調整処理処理が行われる。ステップＳ５０で、ユーザーからの画像取り込み指示の入力があるまで待機する。ユーザーは、固体撮像素子３２を被剃り部分、例えば顎に向け、指示ボタン４０から画像の取り込み指示を入力する。この入力が行われると、ステップＳ５２で、固体撮像素子３２に対して画像の取り込み指示を行い、ステップＳ５４で、取り込んだ画像全体対する皮膚の黒み部分の割合、及び、赤み部分の割合の各々を求める。ステップＳ５６で、皮膚の黒み部分の割合が赤色点灯部３８Ｒを点灯させる数値の範囲内で、かつ、皮膚の赤み部分の割合が青色点灯部３８Ｂを点灯させる数値の範囲内かどうかを判断する。判断が肯定された場合には、剃り残しが多く、深剃りの程度が軽度であると判断できるため、ステップＳ５８で、駆動部６２に支持台２８の位置を剃り強度大位置Ｗ１へ移動させる指示を出力する。これにより支持台２８は剃り強度大位置Ｗ１へ移動される。判断が否定された場合には、ステップＳ６０で、皮膚の赤み部分の割合が赤色点灯部３８Ｒを点灯させる数値の範囲内かどうかを判断する。判断が肯定された場合には、皮膚の深剃り程度が重度であると判断できるので、ステップＳ６２で、駆動部６２に支持台２８の位置を剃り強度小位置Ｗ３へ移動させる指示を出力する。これにより支持台２８は剃り強度小位置Ｗ３へ移動される。判断が否定された場合には、駆動部６２に支持台２８の位置を剃り強度中位置Ｗ２へ移動させる指示を出力する。これにより支持台２８は剃り強度中位置Ｗ２へ移動される。そして本処理を終了する。
【００４０】
本処理によれば、皮膚の赤み割合、及び、皮膚の黒み割合に応じて支持台２８を移動させて、剃り強度を自動的に調整することができる。
【００４１】
なお、本実施形態では、電気剃刀１０にＬＣＤ３６を設けたが、電気剃刀１０自体にはＬＣＤなどの表示手段を設けず、デジタル画像データを外部の表示手段へ出力して外部の表示手段により画像を確認してもよい。
【図面の簡単な説明】
【００４２】
【図１】本実施形態の電気剃刀の斜視図である。
【図２】本実施形態の電気剃刀の上部本体内部を側面からみた図である。
【図３】本実施形態の電気剃刀の（Ａ）は正面図であり、（Ｂ）は背面図である。
【図４】本実施形態の電気剃刀の側面図である。
【図５】本実施形態のＬＣＤの（Ａ）はメニュー画面表示であり、（Ｂ）は設定画面表示である。
【図６】本実施形態の電気剃刀の上部本体と下部本体とが相対回転している様子を示す斜視図である。
【図７】本実施形態の電気剃刀の制御系の概略ブロック図である。
【図８】本実施形態のＬＣＤの（Ａ）は深剃り面積割合設定画面表示であり、（Ｂ）は剃り残し面積割合設定画面表示である。
【図９】（Ａ）は深剃りレベルテーブルであり、（Ｂ）は剃り残しレベルテーブルである。
【図１０】本実施形態の深剃りチェック処理のフローチャートである。
【図１１】本実施形態の剃り残しチェック処理のフローチャートである。
【図１２】本実施形態の剃り強度調整処理のフローチャートである。
【符号の説明】
【００４３】
１０  電気剃刀
１２  電気剃刀本体
２１  刃部
２８  支持台（付勢力調整手段）
３２  固体撮像素子（撮像手段）
３４  ライト（光源）
３８Ｙ      黄色点灯部（告知手段）
３８Ｂ      青色点灯部（告知手段）
３８Ｒ      赤色点灯部（告知手段）
４４  スピーカー
５６  ＣＰＵ（判断手段）
【図１】
2005087616.tif 000003
【図２】
2005087616.tif 000004
【図３】
2005087616.tif 000005
【図４】
2005087616.tif 000006
【図５】
2005087616.tif 000007
【図６】
2005087616.tif 000008
【図７】
2005087616.tif 000009
【図８】
2005087616.tif 000010
【図９】
2005087616.tif 000011
【図１０】
2005087616.tif 000012
【図１１】
2005087616.tif 000013
【図１２】
2005087616.tif 000014